(57)【要約】  フィードバックを要求しないサービスにユーザがアクセスすることを可能にするネットワークに接続されることができるワークステーション（３−ｊ）によって使用される帯域幅の制御に専用のデバイス（Ｄ）であり、このネットワークは、周波数分割複信ネットワークであり、周波数分割複信ネットワークは、少なくとも、データ・バンドルの送信に専用である第１タイプの１つの周波数バンドル・ブランチ・ブロックおよび第１タイプと異なる第２タイプの１つの周波数バンドル・ブランチ・ブロックを収容する。このデバイスは、ｉ）第１タイプ・ブロックでワークステーションから受信された少なくともシグナリング情報を解析する能力と、ｉｉ）第２タイプの周波数ブロック範囲でサービスの可用性を知らせるシグナリング情報を解析デバイスが検出する場合に起動されて、第２タイプの周波数ブロックで第２タイプのデータ・ストリームを受信する切換え機構とを有する。
2009535951.tif 000002
【特許請求の範囲】
【請求項１】
逆方向チャネルを要求しないサービスをユーザに提供することを可能にするネットワークに接続されるのに適したユーザ端末（３−ｊ）によって使用される周波数帯を制御するデバイスＤにおいて、前記ネットワークは、周波数複信ＦＤＤネットワークであり、また、少なくとも、データ・フレームの送信に専用である第１タイプの周波数ブロックの１つのセットおよび前記第１タイプと異なる第２タイプの周波数ブロックの１つのセットを有するデバイスであって、
ｉ）前記第１タイプの周波数ブロックで前記ユーザ端末によって受信されるシグナリング情報の少なくとも１つのアイテムを解析する手段と、
ｉｉ）前記第２タイプの周波数ブロックでサービスの提供を知らせるシグナリング情報のアイテムを前記解析する手段が検出する場合に起動されて、前記第２タイプの周波数ブロックで前記第１タイプのデータ・フレームを受信することが可能な切換え手段とを備えることを特徴とするデバイス。
【請求項２】
前記切換え手段ＭＣは、
前記第２タイプの周波数ブロックへの切換えの前に、前記ユーザ端末（３−ｊ）のユーザが前記サービスにアクセスすることを提案し、
ユーザが合意する場合、前記ユーザ端末（３−ｊ）に対して切換え命令をアドレス指定するよう構成されることを特徴とする請求項１に記載のデバイス。
【請求項３】
前記切換え手段ＭＣは、
前記ユーザ端末（３−ｊ）上で、入力される通信を知らせるシグナリング情報のアイテムを、前記第２タイプの前記周波数ブロックで検出する場合、前記ユーザが前記入力される通信を受信することを提案し、
前記ユーザが合意する場合、前記第１タイプの前記周波数ブロックに切換えるよう前記ユーザ端末（３−ｊ）に命令するよう構成され、それにより、前記ユーザ端末（３−ｊ）は、前記第１タイプの前記周波数ブロックで前記入力される通信を始動するために接続をセットアップする要求を行うことができることを特徴とする請求項１または２に記載のデバイス。
【請求項４】
前記切換え手段ＭＣは、前記ユーザ端末（３−ｊ）によって、出て行く通信をセットアップしようと試みる場合、前記第１タイプの前記周波数ブロックに切換えるように前記ユーザ端末（３−ｊ）に命令するよう構成され、それにより、前記ユーザ端末（３−ｊ）は、前記第１タイプの前記周波数ブロックで前記出て行く通信を始動するために接続をセットアップする要求を行うことができることを特徴とする請求項１乃至３のいずれか１項に記載のデバイス。
【請求項５】
逆方向チャネルを要求しないサービスをユーザに提供することを可能にするネットワークに接続するのに適した周波数複信送受信機ＥＲ２を備えるユーザ端末（３−ｊ）において、前記ネットワークは、周波数複信ネットワークであり、また、少なくとも、データ・フレームの送信に専用である第１タイプの周波数ブロックの１つのセットおよび前記第１タイプと異なる第２タイプの周波数ブロックの１つのセットを有するユーザ端末であって、請求項１乃至４のいずれか１項に記載の制御デバイスＤを備えることを特徴とするユーザ端末。
【請求項６】
逆方向チャネルを要求しないサービスをユーザに提供することを可能にするネットワーク用の基地局コントローラ（２−ｋ）において、前記ネットワークは、周波数複信ネットワークであり、また、少なくとも、データ・フレームの送信に専用である第１タイプの周波数ブロックの１つのセットおよび前記第１タイプと異なる第２タイプの周波数ブロックの１つのセットを有する基地局コントローラであって、前記情報アイテムが、第１タイプの周波数ブロックでシグナリング・メッセージで送信されるように、前記第２タイプの周波数ブロックでサービスの提供を知らせるシグナリング情報を生成するよう構成された管理手段ＭＧを備えることを特徴とする基地局コントローラ。
【請求項７】
逆方向チャネルを要求しないサービスをユーザに提供することを可能にするネットワーク用の基地局（１−ｉ）において、前記ネットワークは、周波数複信ネットワークであり、また、少なくとも、データ・フレームの送信に専用である第１タイプの周波数ブロックの１つのセットおよび前記第１タイプと異なる第２タイプの周波数ブロックの１つのセットを有する基地局であって、基地局コントローラから発生する命令に応じて、前記第１タイプの周波数ブロックか、または、前記第２タイプの周波数ブロックで前記第１タイプのデータ・フレームを送信するよう構成されることを特徴とする基地局。
【請求項８】
逆方向チャネルを要求しないサービスをユーザに提供することを可能にするネットワークに接続されるのに適したユーザ端末（３−ｊ）によって使用される周波数帯を制御する方法において、前記ネットワークは、周波数複信ネットワークであり、また、少なくとも、データ・フレームの送信に専用である第１タイプの周波数ブロックの１つのセットおよび前記第１タイプと異なる第２タイプの周波数ブロックの１つのセットを有する方法であって、
ｉ）前記第１タイプの周波数ブロックで前記ユーザ端末（３−ｊ）によって受信されるシグナリング情報の少なくとも１つのアイテムを解析するステップと、
ｉｉ）前記第２タイプの前記周波数ブロックでサービスの提供を知らせるシグナリング情報のアイテムを検出する場合、前記第２タイプの周波数ブロックに切換えて、前記第２タイプの周波数ブロックで前記第１タイプのデータ・フレームを受信するように、前記ユーザ端末に命令するステップにあることを特徴とする方法。
【請求項９】
前記第２タイプの周波数ブロックへの前記切換えを命令する前に、前記第２タイプの前記周波数ブロックで提供されるサービスにアクセスすることが前記ユーザ端末（３−ｊ）のユーザに提案され、ユーザが合意しない限り、前記ユーザ端末（３−ｊ）は切換わらないことを特徴とする請求項８に記載の方法。
【請求項１０】
前記ユーザ端末（３−ｊ）上で、入力される通信を知らせるシグナリング情報のアイテムを、前記第２タイプの前記周波数ブロックで検出する場合、前記入力される通信を受信することが前記ユーザに提案され、前記ユーザが合意する場合、前記ユーザ端末（３−ｊ）は、前記第１タイプの前記周波数ブロックに切換えて、前記第１タイプの前記周波数ブロックで前記入力される通信を始動するために接続をセットアップする要求を行うことができることを特徴とする請求項８または９に記載の方法。
【請求項１１】
アップリンク上で、前記ユーザ端末（３−ｊ）によって、出て行く通信をセットアップしようと試みる場合、前記ユーザ端末（３−ｊ）は、前記第１タイプの前記周波数ブロックに切換えて、前記第１タイプの前記周波数ブロックで前記出て行く通信を始動するために接続をセットアップする要求を行うことができることを特徴とする請求項８乃至１０のいずれか１項に記載の方法。
【請求項１２】
前記ネットワークは、前記第２タイプの周波数ブロックでサービスの提供を知らせるシグナリング情報のアイテムを含むシグナリング・メッセージを、前記第１タイプの周波数ブロックで、いくつかのユーザ端末（３−ｊ）に送信し、その後、前記ネットワークは、前記サービスのデータおよびシグナリング情報のアイテムを含むデータ・フレームを、前記第２タイプの周波数ブロックで、前記ユーザ端末（３−ｊ）に送信することを特徴とする請求項８乃至１１のいずれか１項に記載の方法。
【請求項１３】
ＭＢＭＳタイプのブロードキャスト・サービス用の、請求項１乃至１２のいずれか１項に記載の、前記制御デバイスＤ、前記ユーザ端末（３−ｊ）、前記基地局コントローラ（２−ｋ）、前記基地局（１−ｉ）、および前記制御方法の使用。
【発明の詳細な説明】
【技術分野】
【０００１】
本発明は、通信ネットワークの分野に関し、より詳細には、無線通信ネットワーク、とりわけ、ＵＭＴＳタイプの移動体無線通信ネットワークに関する。
【０００２】
より正確には、本発明は、たとえば、こうした無線ネットワークによって提供されるブロードキャスト・サービスなどの、逆方向チャネルを要求しないサービスにアクセスするための、ユーザ端末による周波数帯の使用に関する。
【背景技術】
【０００３】
この事例では、「逆方向チャネルを要求しないサービス」は、ポイントツーマルチポイントまたはポイントツーポイントタイプの任意の１方向サービス、とりわけ、たとえば、また、非制限的にＭＢＭＳ（「マルチメディア・ブロードキャスト／マルチキャスト・サービス」）タイプのブロードキャスト・サービスなどの、必要である場合マルチメディア・コンテンツのブロードキャスト・サービスを意味する。
【０００４】
ＭＢＭＳブロードキャスト・サービスは、たとえばＵＴＲＡＮ（「ＵＭＴＳ地上無線アクセス・ネットワーク（UMTS Terrestrial Radio Access Network）」）タイプまたはＵＴＲＡＮアップグレード・タイプの無線アクセス・ネットワークを有するＵＭＴＳタイプの移動体（または、携帯）ネットワークにおけるマルチメディア・データの伝送を統括する３ＧＰＰ（「第３世代パートナシップ・プロジェクト（3rd Generation Partnership Project）」）仕様のバージョン６（または、「リリース６（release 6）」）、特に、３ＧＰＰ技術仕様ＴＳ  ２５．３４６および２３．２４６（とりわけ、アドレス「ｗｗｗ．３ｇｐｐ．ｏｒｇ」の３ＧＰＰウェブサイト上でアクセス可能である）において規定されることに留意されたい。
【０００５】
さらに、本事例における「マルチメディア・コンテンツ」は、たとえば、とりわけ、オーディオ・ファイルか、ビデオ・ファイルか、またはテレビジョン・プログラムなどのデータ・ファイルを意味する。
【０００６】
当業者が知っているように、３ＧＰＰ組織は、ＵＭＴＳなどの移動体ネットワークについて２つの無線アクセス・ネットワーク・モードを推奨している。
【０００７】
第１のモードは、ＦＤＤ（「周波数分割複信（frequency Division Duplex）」）またはＷＣＤＭＡ（「広帯域符号分割多重アクセス（Wideband Code Division Multiple Access）」）と呼ばれる無線アクセス・ネットワーク、換言すれば、データを送信するために周波数複信を使用する無線アクセス・ネットワークに関する。この第１のモードＦＤＤでは、ユーザの移動体端末（すなわち、ユーザ端末）は、アップリンクに専用の周波数で無線アクセス・ネットワークにデータを送信し、一方、無線アクセス・ネットワークは、ダウンリンクに専用の別の周波数でユーザ端末にデータを送信する。したがって、たとえば、従来の音声呼をセットアップするために、ユーザ端末および移動体ネットワークは、両方の周波数で同時にデータを送信する。
【０００８】
国際電気通信連合（International Telecommunication Union）ＩＴＵは、１９９２年に、ＦＤＤ  ＵＭＴＳネットワークについて、アップリンクのために１９２０ＭＨｚと１９８０ＭＨｚの間の特定のＦＤＤ周波数帯を、ダウンリンクのために２１１０ＭＨｚと２１７０ＭＨｚの間の特定のＦＤＤ周波数帯を割り当てた。これらの周波数帯は、「アップリンク」周波数帯と「ダウンリンク」周波数帯との間で対になる５ＭＨｚの周波数ブロックに分割される。
【０００９】
例として本明細書で述べられる第２のモードは、ＴＤＤ（「時間分割複信（Time Division Duplex）」）と呼ばれる無線アクセス・ネットワーク、換言すれば、データを送信するために時間複信を使用する無線アクセス・ネットワークに関する。この第２のモードＴＤＤでは、ユーザ端末は、所与のタイムスロット中のアップリンクに専用の周波数で、無線アクセス・ネットワークにデータを送信し、一方、無線アクセス・ネットワークは、別のタイムスロットであるが、ダウンリンクに専用の同じ周波数で、ユーザ端末にデータを送信する。したがって、従来の通信を確立するために、ユーザ端末および移動体ネットワークは、同じ周波数で「交互に」データを送信する。
【００１０】
国際電気通信連合は、また、１９９２年に、ＴＤＤ  ＵＭＴＳネットワークについて、アップリンクおよびダウンリンクのために１９００ＭＨｚと１９２０ＭＨｚの間および２０１０ＭＨｚと２０２５ＭＨｚの間の特定のＴＤＤ周波数帯を割り当てた。これらの周波数帯は、対にならない５ＭＨｚの周波数ブロックに分割される。
【００１１】
ＦＤＤ周波数帯の割り当てを享受するＵＭＴＳオペレータは、たとえば従来の無線通信サービスなどの、ＦＤＤ周波数帯を既に使用している他のサービスに干渉する危険を冒すこと無しでは、ＭＢＭＳなどの新しいサービスを提供するためにＦＤＤ周波数帯を使用することが難しくなる、または、不可能にさえなる飽和点まで、ＦＤＤを利用する。このことは、たとえば、最適品質のサービス・レベルのために各テレビジョン・チャネルについて２５６ｋｂｐｓ（キロビット／秒）の最小ビット・レート（または、下位の品質レベルのために１２８ｋｂｐｓの最小ビット・レート）を要求する移動体テレビジョンの場合など、ブロードキャスト・サービスがかなりの量の無線資源を要求するときに、益々当てはまる。
【００１２】
さらに、ＦＤＤ周波数帯は、通常、数人のオペレータによって共有されるため、先に示したように、無線資源の大きな消費者であるサービス（必要である場合、ブロードキャスト・サービス）を、数人のオペレータが、自分自身の側でそれぞれ、各顧客に提供することは益々難しい。
【００１３】
さらに、たとえばＭＢＭＳなどのマルチメディア・データ・ブロードキャスト・サービスは、任意のタイプのＵＭＴＳ無線アクセス・ネットワーク（ＴＤＤまたはＦＤＤ）上で使用されてもよい。マルチメディア・データ・ブロードキャスト・サービスは、通常、２つのブロードキャスト・モードを含む。
【００１４】
「ブロードキャスト」と呼ばれる第１のブロードキャスト・モードは、同じマルチメディア・データを、そのマルチメディア・データに関連するオペレータの移動体ネットワークの、サービス・ゾーンの全てのセル内でブロードキャストすることを可能にする。ＵＭＴＳバージョン６（ＭＢＭＳを導入した）に対応し、かつ、このサービス・ゾーン内にある全てのＵＭＴＳ移動体端末は、その後、ブロードキャスト・マルチメディア・データを受信してもよい。
【００１５】
「マルチキャスト」と呼ばれる第２のブロードキャスト・モードは、同じマルチメディア・データを、そのマルチメディア・データに関連するオペレータの移動体ネットワークの、サービス・ゾーンの全てのセル内でブロードキャストすることを可能にする。しかし、第１のモード（ブロードキャスト）と違って、ＵＭＴＳバージョン６に適合し、サービス・ゾーン内にあり、かつ、ＵＭＴＳユーザ端末がこうしたマルチメディア・データを受信することを可能にするサブスクリプションを取得したＵＭＴＳユーザ端末だけが、ブロードキャストされるマルチメディア・データを受信する。
【００１６】
その結果、オペレータの移動体ネットワークの所与のセル内で、コンテンツは、コンテンツ（マルチメディア・データ）のブロードキャストに関連するサービス・ゾーンにこのセルが属さないときにブロードキャストされないか、（ブロードキャスト・モードで）前記サービス・ゾーン内にある全てのユーザ端末にブロードキャストされるか、そうでなければ、（マルチキャスト・モードで）前記サービス・ゾーン内にあるユーザ端末の一部分にだけブロードキャストされてもよい。
【００１７】
コンテンツ（必要である場合、マルチメディア）がセル内でブロードキャストされるとき、２つの状況が生じる可能性がある。第１の状況は、通常、少数のユーザ端末がコンテンツを受信する状況に相当する。この第１の場合、ポイントツーポイント（すなわちＰＴＰ）タイプの専用無線チャネルが、オペレータの無線アクセス・ネットワークと、このセル内にあり、かつ、コンテンツに関係する各ユーザ端末との間にセットアップされる。第２の状況は、通常、多数のユーザ端末がコンテンツを受信する状況に相当する。この第２の状況では、ポイントツーマルチポイント（すなわちＰＴＭ）タイプの共有無線チャネルが、オペレータの無線アクセス・ネットワークと、このセル内にあり、かつ、コンテンツに関係する全てのユーザ端末との間にセットアップされる。
【００１８】
ポイントツーマルチポイント・タイプの共有無線チャネル（第２の状況）を使用することを容易にするために、ＵＭＴＳ標準のバージョン６に適合するユーザ端末は、ダウンリンク上でだけ、ＭＢＭＳサービスに関連し、オペレータの無線アクセス・ネットワークから発生するデータを（無線信号の形態で）受信する。したがって、ユーザ端末は、アップリンク上では、ＭＢＭＳサービスに関連するデータ（または無線信号）を送信しない。そして、ブロードキャストは、逆方向チャネルを持たないと言われる。その結果、無線アクセス・ネットワークがＦＤＤタイプであるとき、ＦＤＤアップリンクに専用のＦＤＤ周波数帯は、ＭＢＭＳサービスのためにユーザ端末によって使用されず、無線アクセス・ネットワークがＴＤＤタイプであるとき、ＴＤＤアップリンクに専用のタイムスロットは、ＭＢＭＳサービスのためにユーザ端末によって使用されない。
【００１９】
状況を改善し、ＦＤＤ周波数帯の「過剰使用」の欠点を解消するために、ユーザ端末および無線アクセス・ネットワーク機器を、ハイブリッド、たとえば、ＦＤＤ／ＴＤＤ送受信機に適合させることが可能であると思われる。しかし、それは、機器製造者（無線アクセス・ネットワークおよび／またはユーザ端末の製造業者）にとってだけでなく、移動体ネットワークのオペレータにとってもコストがかかるであろう。別の解決策は、移動体ネットワーク・オペレータに、一方はＦＤＤモードで動作し、他方はたとえばＴＤＤモードで動作する２つの無線アクセス・ネットワークを展開してもらうこと、および、このオペレータの顧客が、２つのユーザ端末であって、一方はＦＤＤモードで動作する送受信機を有し、他方はＴＤＤモードで動作する送受信機を有する、２つのユーザ端末を購入し、それにより、２つのユーザ端末がＭＢＭＳコンテンツを受信できることを提案することにある。しかし、この解決策もコストがかかる。
【００２０】
したがって、知られている解決策はどれも完全に満足できるものではない。
【発明の開示】
【発明が解決しようとする課題】
【００２１】
本発明は、たとえば、ＴＤＤ周波数帯の少なくとも一部分（換言すれば、例示的な実施形態において５ＭＨｚの少なくとも１つの周波数ブロック）などの、他の利用可能な周波数帯において、ＦＤＤ送受信機を装備するユーザ端末に対して、ＦＤＤタイプの無線アクセス・ネットワークのダウンリンク上で、ＦＤＤタイプのいくつかのデータ・フレームを送信することを提案することによって状況を改善することを可能にする。
【課題を解決するための手段】
【００２２】
したがって、本発明は、逆方向チャネルを要求しないサービスをユーザに提供することを可能にするネットワークに接続されるのに適したユーザ端末によって使用される周波数帯を制御するデバイスを提案し、ネットワークは、周波数分割複信（Frequency Division Duplex）ＦＤＤネットワークであり、また、少なくとも、データ・フレームの送信に専用である第１タイプの周波数ブロックの１つのセットおよび第１タイプと異なる第２タイプ、たとえば、ＴＤＤの周波数ブロックの１つのセットを有する。このデバイスは、
−第１タイプの周波数ブロックでユーザ端末によって受信されるシグナリング情報の少なくとも１つのアイテムを解析する手段と、
−第２タイプの周波数ブロックでサービスの提供を知らせるシグナリング情報のアイテムを解析する手段が検出する場合に起動されて、第２タイプの周波数ブロックで第１タイプのデータ・フレームを受信することが可能な切換え手段とを備える。
【００２３】
したがって、ユーザ端末は、第２タイプの周波数ブロックでＦＤＤフレームの形態で無線アクセス・ネットワークによって送信される、サービスのデータ（必要である場合、ブロードキャスト・データ）およびシグナリング情報のアイテムを受信してもよい。
【００２４】
このデバイスにわたってスイッチングする手段は、また、第２タイプの周波数ブロックへの切換えの前に、サービスにアクセスすることを端末のユーザに提案し、また、ユーザが合意する場合にだけ、ユーザ端末に対して切換え命令をアドレス指定する責任を負ってもよい。
【００２５】
したがって、ユーザは、第２タイプの周波数ブロックで提案されたブロードキャスト・サービスにアクセスすることを拒否してもよい。
【００２６】
このデバイスの切換え手段は、また、ユーザ端末上で、入力される通信を知らせるシグナリング情報のアイテムを、第２タイプの周波数ブロックで検出する場合、ユーザが入力される通信を受信することを提案し、また、ユーザが合意する場合、第１タイプの周波数ブロックに切換えるようユーザ端末に命令する責任を負ってもよく、それにより、ユーザ端末は、第１タイプの周波数ブロックで、入力される通信を始動するために接続をセットアップする要求を行うことができる。
【００２７】
さらに、切換え手段は、また、ユーザ端末によって、出て行く通信をセットアップしようと試みる場合、第１タイプの周波数ブロックに切換えるようにユーザ端末に命令することができてもよく、それにより、ユーザ端末は、第１タイプの周波数ブロックで出て行く通信を始動するために接続をセットアップする要求を行ってもよい。
【００２８】
したがって、第２タイプの周波数ブロックの使用は、ユーザ端末が第１タイプの周波数ブロックで通信を受信するか、または、送信する可能性に適合する。
【００２９】
本発明は、また、上述したタイプのネットワークに接続されることが可能で、かつ、本発明による制御デバイスを備える周波数複信送受信機を備えるユーザ端末を提案する。
【００３０】
本発明は、また、情報アイテムが、第１タイプの周波数ブロックでシグナリング・メッセージで送信されるように、第２タイプの周波数ブロックでサービスの提供を知らせるシグナリング情報のアイテムを生成するよう構成された管理手段を備える上述したタイプのネットワーク用の基地局コントローラを提案する。
【００３１】
本発明は、また、基地局コントローラから発生する命令に応じて、第１タイプの周波数ブロックか、または、第２タイプの周波数ブロックで第１タイプのデータ・フレームを送信するよう構成された上述したタイプのネットワーク用の基地局を提案する。
【００３２】
最後に、本発明は、上述したタイプのネットワークに接続されることが可能なユーザ端末によって使用される周波数帯を制御する方法を提案し、方法は、第１タイプの周波数ブロックでユーザ端末によって受信されるシグナリング情報の少なくとも１つのアイテムを解析すること、および、第２タイプの周波数ブロックでサービスの提供を知らせるシグナリング情報のアイテムを検出する場合、第２タイプの周波数ブロックに切換えて、第２タイプの周波数ブロックで第１タイプのデータ・フレームを受信するように、ユーザ端末に命令することにある。
【００３３】
したがって、ユーザ端末は、第２タイプの周波数ブロックでＦＤＤフレームの形態で無線アクセス・ネットワークによって送信される、サービス（必要である場合、ブロードキャスト・サービス）に関連するマルチメディア・データおよびシグナリング情報を受信してもよい。
【００３４】
本発明による方法は、別々に、または、組合せて考えられてもよい他の特徴、とりわけ、
−第２タイプの周波数ブロックへの切換えを命令する前に、第２タイプの周波数ブロックで提供されるサービスにアクセスすることがユーザ端末のユーザに提案され、ユーザからの合意が存在しない限り、ユーザ端末は切換わらないこと、
−ユーザ端末上で、入力される通信を知らせるシグナリング情報のアイテムを、第２タイプの周波数ブロックで検出する場合、入力される通信を受信することがユーザに提案され、ユーザが合意する場合、ユーザ端末は、第１タイプの周波数ブロックに切換えて、第１タイプの周波数ブロックで入力される通信を始動するために接続をセットアップする要求を行うことができること、
−アップリンク上で、ユーザ端末によって、出て行く通信をセットアップしようと試みる場合、ユーザ端末は、第１タイプの周波数ブロックに切換えて、第１タイプの周波数ブロックで出て行く通信を始動するために接続をセットアップする要求を行うことができること、
−ネットワークは、第２タイプの周波数ブロックでサービスの提供を知らせるシグナリング情報のアイテムを含むシグナリング・メッセージを、第１タイプの周波数ブロックで、いくつかのユーザ端末に送信し、その後、ネットワークは、サービスのデータおよびシグナリング情報を含むデータ・フレームを、第２タイプの周波数ブロックで、ユーザ端末に送信することを含んでもよい。
【００３５】
本発明は、排他的ではないが、ＭＢＭＳタイプのブロードキャスト・サービスに特に適する。
【００３６】
本発明の他の特徴および利点は、以下の詳細な説明および添付図面を検討することによって明らかになるであろう。
【発明を実施するための最良の形態】
【００３７】
添付図面は、本発明を補足するために使用されるだけでなく、適切である場合、本発明の定義に寄与してもよい。
【００３８】
以下に述べる例示的な実施形態では、本発明は、たとえば、ＴＤＤタイプの周波数帯の少なくとも一部分あるいはＭＳＳ（「移動体衛星通信システム（Mobile Satellite Service）」）衛星周波数帯またはＧＳＭに割り当てられた周波数帯などの他の周波帯などの、ＦＤＤタイプの周波数帯以外の利用可能な周波数帯において、ＵＭＴＳ移動体ネットワークに属するＦＤＤモードで動作する無線アクセス・ネットワークから、ＦＤＤ  ＵＭＴＳ送受信機を装備したユーザ端末へ、サービス（おそらく、ブロードキャスト・サービス）に関連するマルチメディア・データを含むＦＤＤタイプのデータ・フレームを送信することを可能にする。
【００３９】
以下では、非制限的な例として、セルがＭＢＭＳタイプのマルチメディア・コンテンツ・ブロードキャスト・サービス（以降で、ＭＢＭＳサービスと呼ばれる）を提供するＵＭＴＳ（「ユニバーサル移動体通信システム（Universal Mobile Telecommunications System）」）タイプの通信ネットワークのＦＤＤ  ＵＴＲＡＮタイプの無線アクセス・ネットワークの一部を形成することが考えられる。
【００４０】
しかし、本発明は、このタイプの無線アクセス・ネットワークに制限されない。特に、本発明は、ＦＤＤ  ＵＴＲＡＮタイプの、すなわち、ＵＴＲＡＮのアップグレードを形成する任意の無線アクセス・ネットワークならびに衛星またはハイブリッド（地上および衛星）無線アクセス・ネットワークに関する。さらに、本発明は、ＭＢＭＳタイプのブロードキャスト・サービスだけに制限されない。本発明は、一般に、確認応答を全く必要としないため、「逆方向チャネルを持たない」サービスと呼ばれる、ブロードキャスト・サービスか、マルチメディアか、または、そうでなくてもよい全てのサービスに関する。さらに、本発明は、ＵＭＴＳネットワークだけに制限されない。
【００４１】
さらに、マルチメディア・データをブロードキャストするのに使用される非ＦＤＤ周波数帯は、ＴＤＤ周波数帯であることが以下で考えられる。しかし、本発明は、このＴＤＤ周波数帯に制限されない。特に、本発明は、（述べる例において）ＵＭＴＳコンテキストで使用されることができる５ＭＨｚの周波数ブロックを提供する任意の周波数帯（対であってもなくても）に関する。
【００４２】
ブロードキャスト・サービス（この事例では、ＭＢＭＳタイプの）は、セルごとに、または、セルのグループごとに変わってもよいことに留意することが重要である。特に、２つのブロードキャスト・サービスは、共有セルまたは異なるセルからなる２つのサービス・ゾーン内で送出されてもよい。
【００４３】
本発明が適用されることができるＵＭＴＳタイプの例示的な移動体（通信）ネットワークを、本発明を理解するのに非常に概略的ではあるが、それでも十分に述べるために、まず第１に、図１が参照される。
【００４４】
移動体ネットワークは、コア・ネットワーク５に接続されたＦＤＤタイプの無線アクセス・ネットワーク４（またはＵＴＲＡＮ）を備える。無線アクセス・ネットワーク４は、ＵＭＴＳの場合、「ノードＢ」と呼ばれる基地局１−ｉ、および、ＵＭＴＳの場合、「ＲＮＣ」（「無線ネットワーク・コントローラ（radio network controller）」）と呼ばれる基地局コントローラ２−ｋを備える。
【００４５】
図１に示す非制限的な例では、２つの基地局１−１および１−２（ｉ＝１または２）ならびに基地局コントローラ２−１（ｋ＝１）が示された。しかし、指数ｉおよびｋは、一（１）以上の任意の値をとってもよい。
【００４６】
基地局１−ｉは、主に、それぞれが少なくとも１つのカバリジ・ゾーン（セルＣｉまたはセルのグループからなる）に関連する送受信機であり、そのカバリジ・ゾーン内で、そのゾーンにあるユーザ端末３−ｊとの、無線通信が確立されることができる。その結果、各基地局は、ＦＤＤタイプの少なくとも１つの送受信機モジュールＥＲＩを備える。基地局コントローラ２−ｋは、無線アクセス・ネットワークおよび種々のユーザ端末３−ｊによって実施されるアクションを制御する責任を負う。
【００４７】
ユーザ端末３−ｊ（または、「ユーザ機器（User Equipment）」用のＵＥ）は、移動体端末である。図１に示す非制限的な例では、２つのユーザ端末３−１および３−２（ｊ＝１または２）だけが示された。しかし、指数ｊは、一（１）以上の任意の値をとってもよい。
【００４８】
ユーザ端末３−ｊは、ＦＤＤタイプの送受信機ＥＲ２のおかげで、無線アクセス・ネットワーク４に関する波によって、ＦＤＤタイプのデータ・フレームをやりとりすることが可能な通信端末である。ユーザ端末は、たとえば、移動体電話などの移動体端末である。
【００４９】
しかし、ユーザ端末は、たとえば、送受信機ＥＲ２（実際には、送受信機は、ＵＭＴＳ  ＰＣＭ／ＣＩＡカード）を装備したラップトップ・コンピュータまたは送受信機ＥＲ２を装備した携帯情報端末ＰＤＡなどの他のタイプの通信端末であることができる。以下では、例証的でかつ非制限的な例として、ユーザ端末３−ｊは移動体電話であることが考えられる。
【００５０】
本発明は、とりわけ、ＦＤＤ周波数帯およびＦＤＤと異なるタイプの周波数ブロック（この事例では、例としてＴＤＤタイプの周波数ブロック）の使用を制御するために、ユーザ端末３−ｊ（この事例では、移動体電話）の少なくともいくつかに制御デバイスＤを実装することを提案する。
【００５１】
ＦＤＤおよびＴＤＤ周波数帯は、５ＭＨｚの周波数ブロックに細分されることに留意されたい。以下では、ＦＤＤアップリンクに専用のＦＤＤ周波数ブロックは第１タイプの第１のセットを形成し、ＦＤＤダウンリンクに専用のＦＤＤ周波数ブロックは第１タイプの第２のセットを形成し、ＴＤＤアップリンクおよびダウンリンクに専用のＴＤＤ周波数ブロックは第２タイプの第３のセットを形成することが考えられる。非ＦＤＤタイプの周波数のいくつかのセットまたはセットの一部分が使用されてもよいことが留意されるであろう。
【００５２】
本発明による制御デバイスＤは、解析モジュールおよび切換えモジュールを備える。図１に示す非制限的な例では、解析モジュールおよび切換えモジュールは、ＭＣと呼ばれる、１つでかつ同じのモジュールの２つの下位部分を形成する（したがって、両者は、以降では、共にＭＣと呼ばれる）。しかし、両者は、２つの別個のモジュールであることができる。
【００５３】
解析モジュールＭＣが実装される移動体電話３−ｊが、無線アクセス・ネットワーク４によって通信をセットアップするたびに、解析モジュールＭＣは、起動され、したがって、介入する責任を負わされる（換言すれば、回路モード呼またはパケット・モード・セッション）。この事例では、「通信」は、移動体電話３−ｊと無線アクセス・ネットワーク４との間で、一方で、第１のセットの（したがって、第１のタイプの）ＦＤＤ周波数ブロックでのアップリンクを、他方で、第２のセットの（したがって、第１のタイプの）ＦＤＤ周波数ブロックでのダウンリンクをセットアップしたことを意味する。
【００５４】
こうした通信がセットアップされるたびに、解析モジュールは、セットアップされたダウンリンク上で、解析モジュールが属する移動体電話３−ｊによって受信されるシグナリング・メッセージの少なくともいくつかを解析する。シグナリング・メッセージは、とりわけ、「コントローラ情報」および／または「ページング」情報と呼ばれる無線アクセス・ネットワークからのシグナリング情報、ならびに／または、サービス（たとえばＭＢＭＳ）に固有のコンテンツのブロードキャスティングに関連する情報を含むことが想起されるべきである。この解析は、所与のＴＤＤ周波数ブロックで、ブロードキャスト・サービスの無線アクセス・ネットワーク４による提供を知らせるシグナリング情報のアイテムの存在を検出することを意図される。
【００５５】
特に、本発明によれば、基地局コントローラ２−ｋは、コア・ネットワーク５、および／または、ＵＭＴＳ移動体ネットワークのネットワーク管理システムすなわちＮＭＳの一部を形成するＯＭＣ（「オペレーションおよびメインテナンス・センタ（Operation and Maintenance Center）」）タイプの管理および保守センタによって供給される命令に応じて、第３のセットの所与のＴＤＤ周波数ブロックでブロードキャスト・サービスの提供を知らせるシグナリング情報のアイテムを生成する責任を負う管理モジュールＭＧを装備する。これらの情報のアイテムは、その後、基地局コントローラ２−ｋによって、シグナリング・メッセージに組み込まれて、ポイントツーマルチポイント・モードで、かつ、第２のセットの所与のＦＤＤ周波数ブロックで移動体電話３−ｊに送信される。
【００５６】
ブロードキャスト・サービスがＭＢＭＳタイプであるとき、ブロードキャスト・サービスに関連する情報を含むシグナリング・メッセージは、（とりわけ）コントローラの情報のアイテムとちょうど同じように、ＢＣＨと呼ばれるブロードキャスト・チャネルで、基地局１−ｉによって移動体電話３−ｊに送信される。このチャネルＢＣＨは、ＢＣＣＨ（「ブロードキャスト制御チャネル（Broadcast Control CHannel）」）と呼ばれる論理チャネルを保持し、論理チャネルは、移動体電話３−ｊに、ＭＢＭＳ標準のバージョン６で指定された、ＭＢＭＳサービスに固有のＭＣＣＨ（「ＭＢＳ制御チャネル（MBS Control CHannel）」）と呼ばれるトランスポート・チャネルにアクセスするための情報を提供することを想起されたい。
【００５７】
ブロードキャスト・サービスに関連するシグナリング情報のアイテムは、とりわけ、前記サービスがブロードキャストするコンテンツのデータがそこで送信されるトラフィック・チャネルを監視することを可能にするよう、移動体電話３−ｊが自身を構成することを可能にするように設計された構成情報を含むことに留意されたい。ＵＭＴＳ標準のバージョン６によれば、ポイントツーマルチポイント・モードでは、ＭＢＭＳサービスに関連するマルチメディア・データは、ＭＴＣＨ（「ＭＢＭＳトラフィック・チャネル（MBMS Traffic CHannel）」）と呼ばれるトランスポート・チャネルでブロードキャストされる。ＭＴＣＨチャネルの構成は、トランスポート・チャネルＭＣＣＨに含まれる情報のおかげで、移動体電話３−ｊが知っている。
【００５８】
この構成情報の中で、とりわけ、各サービスＭＢＭＳまたはサービスＭＢＭＳのグループがそれについてブロードキャストされなければならないサービス・ゾーンのリスト、各サービスＭＢＭＳまたはサービスＭＢＭＳのグループのプログラミング、各サービスＭＢＭＳまたはサービスＭＢＭＳのグループについて要求されるサービス品質ＱｏＳ、およびサービスＭＢＭＳによって使用されるトラフィック・チャネルＭＴＣＨの構成を引用することが可能である。
【００５９】
したがって、移動体電話３−ｊの解析モジュールがブロードキャスト・サービスに関する情報を検出することができるために、解析モジュールが、第２のセットの所与のＦＤＤ周波数ブロックでダウンリンク・チャネルＢＣＨにおいて送信されるシグナリング・メッセージを観測することが必要である。好ましくは、解析モジュールＭＣは、また、移動体電話３−ｊが、たとえば、着呼を受信すると、ＰＣＨ（「ページング・チャネル（Paging CHannel）」）タイプのダウンリンク・トランスポート・チャネルにおいて無線アクセス・ネットワーク４によって送信されるメッセージを観測する。
【００６０】
移動体電話３−ｊが、所与のＴＤＤ周波数ブロックでブロードキャスト・サービスの提供を（ＢＣＨチャネル上で）通知されると、基地局コントローラ２−ｋは、ＴＤＤ周波数帯において、ＦＤＤタイプのデータ・フレームの形態でマルチメディア・データのブロードキャストを始めてもよい。
【００６１】
ＭＢＭＳタイプのマルチメディア・データのブロードキャストが、ポイントツーポイント・モードか、ポイントツーマルチポイント・モードのいずれかで実施されることに留意することが重要である。ポイントツーポイント・モードは、通常、（ブロードキャストされるコンテンツを受信するための）移動体電話３−ｊの数が少ないときに使用される。この場合、ポイントツーポイント（すなわちＰＴＰ）タイプの専用無線チャネルが、無線アクセス・ネットワーク４と、ブロードキャストされるコンテンツを受信する各移動体電話３−ｊとの間にセットアップされる。各専用無線チャネルは、（シグナリング・メッセージで知らされた）第２のセットのブロックのＦＤＤ周波数で送信される。ポイントツーマルチポイント・モードは、通常、（ブロードキャストされるコンテンツを受信するための）移動体電話３−ｊの数が多いときに使用される。この場合、ポイントツーマルチポイント（すなわちＰＴＭ）タイプの共有ＭＢＭＳ無線チャネルが、無線アクセス・ネットワーク４と、ブロードキャストされるコンテンツを受信する全ての移動体電話３−ｊとの間にセットアップされる。この共有ＭＢＭＳ無線チャネルは、（シグナリング・メッセージで知らされた）第３のセットの所与のＴＤＤ周波数ブロックのＴＤＤ周波数で送信される。
【００６２】
ＭＢＭＳサービス・データ・フレームの送信を可能にするために、（無線アクセス・ネットワーク４の）基地局１−ｉの送受信機モジュールＥＲ１は、ダウンリンク上で、第２のセットの通常のＦＤＤ周波数ブロックの周波数だけでなく、第３のセットのＴＤＤ周波数ブロックの少なくともいくつかの周波数もまた使用することができるようになっていなければならない。各基地局１−ｉは、その後、基地局を制御する基地局コントローラ２−ｋによって提供される命令に応じて、送受信機モジュールＥＲ１の送信を、ＦＤＤ周波数か、ＴＤＤ周波数のいずれかに同調させる。
【００６３】
移動体電話３−ｊの解析モジュールＭＣは、所与のＴＤＤの（したがって、第２のタイプの）周波数ブロックでブロードキャスト・サービスの提供を知らせるシグナリング情報のアイテムを検出すると、切換えモジュールＭＣを起動させる。切換えモジュールは、その後、たとえば移動体電話３−ｊのスクリーン上への専用メッセージの表示を命令することによって、たとえば、このブロードキャスト・サービスにアクセスすることをユーザに提案してもよい。ユーザが、自分が合意したことを知らせる場合、切換えモジュールＭＣは、ダウンリンクを所与のＦＤＤ周波数ブロックに切換えるよう、切換えモジュールＭＣが属する移動体電話３−ｊに命令する。移動体電話３−ｊは、その後、（第２のセットのＦＤＤ周波数への）送受信機ＥＲ２の以前の同調を、所与のＴＤＤ周波数ブロックのＴＤＤ周波数への新たな同調に置換える。移動体電話３−ｊは、その後、所与のＴＤＤ周波数ブロックの新たな同調周波数でポイントツーマルチポイント・モードで、ＦＤＤフレームの形態で無線アクセス・ネットワーク４によって送信された、ブロードキャスト・サービスのデータおよびシグナリング情報を受信してもよい。
【００６４】
移動体電話３−ｊの解析モジュールＭＣは、専用無線チャネル上でかつ所与のＦＤＤ周波数ブロックでポイントツーポイント・モードでブロードキャスト・サービスの提供を知らせるシグナリング情報のアイテムを検出する場合、同様に、切換えモジュールＭＣを起動させることが留意されるであろう。切換えモジュールは、その後、たとえば移動体電話３−ｊのスクリーン上への専用メッセージの表示を命令することによって、たとえば、このブロードキャスト・サービスにアクセスすることをユーザに提案してもよい。ユーザが、自分が合意したことを知らせる場合、切換えモジュールＭＣは、ダウンリンクを所与のＦＤＤ周波数ブロックに切換えるよう、ユーザの移動体電話３−ｊに命令する。移動体電話３−ｊは、その後、（第２のセットのＦＤＤ周波数に対する）送受信機ＥＲ２の以前の同調を、（この同じ第２のセットの）所与のＦＤＤ周波数ブロックのＦＤＤ周波数への新たな同調に置換える。移動体電話３−ｊは、その後、所与のＦＤＤ周波数ブロックの新たな同調周波数でポイントツーポイント・モードで、ＦＤＤフレームの形態で無線アクセス・ネットワーク４によって送信される、ブロードキャスト・サービスのデータおよびシグナリング情報を受信してもよい。上述した場合は、ＵＭＴＳ標準のバージョン６において「周波数層収束」と呼ばれるものに相当する。より正確には、上述した場合は、ブロードキャストに専用のＦＤＤ周波数でＭＢＭＳコンテンツを受信することにある。この周波数は専用セルを使用する。ＭＢＭＳサービスが利用可能であるとき、２つの状況が想定される。２つの状況とは、この専用周波数（および関連するセル）に収束されるユーザが少なく、サービスがＰＴＰモードで送出される状況か、または、この専用周波数（および関連するセル）に収束されるユーザが多く、サービスがＰＴＭモードで送出される状況である。
【００６５】
ＭＢＭＳサービスの場合、ブロードキャスト・サービスに関連するマルチメディア・データは、たとえば、テキスト、画像、音声またはビデオ（特に、テレビジョン・プログラム）データ・ファイル、そうでなければ、上述した例としてのコンテンツの任意の組合せなどの、マルチメディア・コンテンツを形成する。これらのコンテンツ・データは、コア・ネットワーク５、より正確には、コア・ネットワーク５が備えるＧＧＳＮ（「ゲートウェイＧＰＲＳサポート・ノード（Gateway GPRS Support Node）」）に接続されるコンテンツ・サーバＳＣによって提供される。ＵＭＴＳ標準のバージョン６において、また、ＭＢＭＳのコンテキストにおいて、コンテンツ・サーバは、ＢＭ−ＳＣ（「ブロードキャスト／マルチキャスト・サービス・センタ（Broadcast/Multicast Service Center）」）と呼ばれる。
【００６６】
コア・ネットワーク５は、特に基地局コントローラ２−ｋに接続された少なくとも１つのＳＧＳＮノード（「サービングＧＰＲＳサポート・ノード（Serving GPRS Support Node）」）、および、ＳＧＳＮノードに接続され、かつ、コア・ネットワーク５からたとえばＭＢＭＳタイプのコンテンツ・ブロードキャスト・サービスを提供する少なくとも１つのコンテンツ・サーバＳＣへの接続を提供する少なくとも１つのＧＧＳＮノードを備えることが想起されるべきである。
【００６７】
コンテンツ・データは、必要である場合、コンテンツ・サーバＳＣか、または、基地局コントローラ２−ｋによって圧縮されてもよいことに留意されたい。
【００６８】
デバイスＤの解析モジュールＭＣは、また、たとえば、着呼に似た、着呼を知らせるシグナリング情報（または、ＳＭＳ、ＭＭＳ、または他のタイプのメッセージ）のアイテムの、解析モジュールＭＣが属する移動体電話３−ｊにおける到着を、所与のＴＤＤ周波数ブロックで検出すると介入してもよい。着呼は、ＰＣＨ（「ページング・チャネル（Paging CHannel）」）と呼ばれるトランスポート・チャネル上で送信される「ページング・メッセージ」と呼ばれるメッセージによって知らされることに留意されたい。移動体電話３−ｊの解析モジュールＭＣは、ページング・メッセージを検出できるように、第３のセットの所与のＴＤＤ周波数ブロックでダウンリンク・チャネルＰＣＨを観測しなければならない。着呼が検出される場合、解析モジュールＭＣは、切換えモジュールＭＣを起動させる。切換えモジュールＭＣは、その後、たとえば移動体電話３−ｊのスクリーン上への専用メッセージの表示を命令することによって、たとえば、この着呼を受信することを移動体電話３−ｊのユーザに提案してもよい。ユーザが、自分が合意したことを示す場合、切換えモジュールＭＣは、入力される通信、たとえば、着呼を受信するために、ダウンリンクを、（ＭＢＭＳサービスのコンテンツ・データを受信するために、所与のＴＤＤ周波数ブロックへ切換える前に使用された）第２のセットの所与のＦＤＤ周波数ブロックに切換えるよう移動体電話３−ｊに命令する。
【００６９】
移動体電話３−ｊは、その後、（第３のセットのＴＤＤ周波数への）送受信機ＥＲ２の以前の同調を、（第２のセットの）所与のＦＤＤ周波数ブロックのＦＤＤ周波数への新たな同調に置換える。移動体電話３−ｊは、その後、無線アクセス・ネットワーク４に対して、第２のセットのＦＤＤ周波数ブロックへの着呼を受信するために接続をセットアップする要求を行ってもよい。この要求は、ＲＡＣＨ（「ランダム・アクセス・チャネル（Random Access Channel）」）と呼ばれるアップリンク・トランスポート・チャネル上で行われる。移動体電話３−ｊは、その後、従来のパケットまたは回路サービス・データ（電話呼のデータなど）を受信してもよいが、もはや、ＴＤＤ周波数ブロックでブロードキャストされるコンテンツ・データを受信することはできない。
【００７０】
さらに、デバイスＤの解析モジュールＭＣは、また、第１のセットのＦＤＤ周波数ブロックでアップリンク上で、たとえば、出て行く呼またはＳＭＳの送出またはインターネット・セッションの開始などの出て行く通信を、移動体電話３−ｊが、前記移動体電話のユーザの要求で始動したいと思うときに介入してもよい。この場合、解析モジュールＭＣは、切換えモジュールＭＣを起動させる。切換えモジュールＭＣは、その後、ダウンリンクを第２のセットの所与のＦＤＤ周波数ブロックに切換えるよう、切換えモジュールＭＣが属する移動体電話３−ｊに命令し、それにより、無線アクセス・ネットワーク４は、（ＭＢＭＳサービスのコンテンツ・データを受信するために、所与のＴＤＤ周波数ブロックへ切換える前に使用された）第２のセットの所与のＦＤＤ周波数ブロックで出て行く通信を始動する（その後、受信する）ために、接続をセットアップする要求を行ってもよい。特に、ＴＤＤ周波数ブロックがダウンリンク・チャネルだけを提供するが、ＦＤＤ周波数ブロックはアップリンク・チャネルとダウンリンク・チャネルの両方を提供することから、出て行く通信にさらされ、また、アップリンク逆方向チャネルを要求する電話通信が、ＦＤＤ周波数で必ず実施されなければならないため、このプロシジャが必要とされる。移動体電話３−ｊは、トランスポート・チャネルＲＡＣＨで接続をセットアップする要求を行う。移動体電話３−ｊは、接続がセットアップされると、従来のパケットまたは回路サービス・データ（電話呼のデータなど）を送受信してもよいが、もはや、ＴＤＤ周波数でブロードキャストされるコンテンツ・データを受信することはできない。
【００７１】
方法のステップの形態で、また、図２を参照して、移動体電話３−ｊによって使用されるＦＤＤ（第１のタイプ）周波数およびＴＤＤ（この例では第２のタイプ）周波数の、本発明による、制御の例の説明がここで続く。
【００７２】
方法は、（ＦＤＤタイプの）移動体電話３−ｊが、（ＦＤＤ送受信機ＥＲ２によって）ＦＤＤ周波数帯でＵＭＴＳ接続をセットアップするときに始まる。接続は、たとえば第１セットのＢと呼ばれるＦＤＤ周波数ブロックでの、無線アクセス・ネットワーク４に対するアップリンク、および、たとえば第２セットのＣと呼ばれるＦＤＤ周波数ブロックでの、移動体電話３−ｊに対するダウンリンクに関してセットアップされる。
【００７３】
逆方向チャネルを持たないブロードキャスト・サービス（たとえば、ＭＢＭＳ）が利用可能であるとき、そのサービスは、たとえば第３セットのＡと呼ばれるＴＤＤ周波数ブロックでの、ＴＤＤ周波数帯において利用可能である。ＭＢＭＳサービスを受信するために、無線アクセス・ネットワーク４は、その後、ＦＤＤ周波数ブロックＣを使用して、ユーザが望む場合、ＴＤＤ周波数ブロックＡに切換えるよう、移動体電話３−ｊに通知する。
【００７４】
したがって、ＦＤＤ移動体端末は、ＦＤＤ周波数ブロックＣからＴＤＤ周波数ブロックＡにスイッチングして、（関連するアップリンクＦＤＤフレームの無い状態で）ＴＤＤ周波数帯でダウンリンクＦＤＤフレームの形態で無線アクセス・ネットワーク４によってブロードキャストされる、ＭＢＭＳサービスをポイントツーマルチポイント・モードで受信する。
【００７５】
移動体電話３−ｊのＦＤＤ送受信機ＥＲ２は、もちろん、ＴＤＤ周波数帯でダウンリンクＦＤＤフレームを読み取ることが可能であると考えられる。したがって、ＭＢＭＳサービスおよびページング情報を受信するために、移動体電話３−ｊは、ダウンリンクＦＤＤ周波数帯（ＦＤＤ周波数ブロックＣ）をもはや聞かず、ＴＤＤ周波数帯（ＴＤＤ周波数ブロックＡ）を聞くだけである。
【００７６】
移動体電話３−ｊは、着呼を受信する場合、ＴＤＤ周波数帯（ＴＤＤ周波数ブロックＡ）でのページング・メッセージによって着呼を通知される。移動体電話３−ｊは、その後、元のＦＤＤ周波数帯（ＦＤＤ周波数ブロックＣ）に移り、ユーザが着呼を受信したいと思う場合、アップリンクＦＤＤ周波数帯（ＦＤＤ周波数ブロックＢ）で着呼を受信するために接続をセットアップする要求を行う。
【００７７】
移動体電話３−ｊが、ＴＤＤ周波数帯（ＴＤＤ周波数ブロックＡ）に同調している間に出て発呼を行う場合、移動体電話３−ｊは、元のＦＤＤ周波数帯（ＦＤＤ周波数ブロックＣ）にスイッチングし、移動体電話３−ｊが、接続をセットアップする要求を行うことを可能にする。着呼の場合、対応するページング・メッセージが、無線アクセス・ネットワーク４から移動体電話３−ｊへ送出されること、および、その後、移動体電話３−ｊが接続要求を始動することに留意されたい。発呼の場合、移動体電話３−ｊは、接続要求を直接始動する。
【００７８】
本発明による制御デバイスＤ、特に、解析および切換えモジュールＭＣ、ならびに、基地局コントローラ２−ｋの管理モジュールＭＧは、ソフトウェア（または、コンピュータ）モジュール、電子回路、または、回路とソフトウェアの組合せの形態で作られてもよい。
【００７９】
本発明は、例としてだけ述べられた、制御デバイス、ユーザ端末（または移動体端末）、基地局コントローラ、基地局、および制御方法の実施形態に制限されるのではなく、添付特許請求の範囲において当業者が想定することができる全ての変形を包含する。
【図面の簡単な説明】
【００８０】
【図１】本発明による基地局コントローラ、および、本発明により、かつ、それぞれが本発明によるデバイスを装備するユーザ端末が接続される基地局を備える無線アクセス・ネットワークを備える移動体通信ネットワークの全体的なアーキテクチャを非常に概略的にかつ機能的に示す図である。
【図２】本発明によるＴＤＤおよびＦＤＤ周波数帯の使用例を概略的に示す図である。
【図１】
2009535951.tif 000003
【図２】
2009535951.tif 000004
【国際調査報告】
2009535951.tif 000005
2009535951.tif 000006
2009535951.tif 000007
2009535951.tif 000008
2009535951.tif 000009
2009535951.tif 000010